(57)【要約】【課題】ＴＥの使用者が移動通信端末機を通してインターネットウェブサーバー及び移動通信ウェブサーバーに接続し得る統合ウェブブラウジングサービス装置及びその方法を提供しようとする。【解決手段】インターネットウェブブラウジングと移動通信ウェブブラウジングが可能な端末装置（Ｔｅｒｍｉｎａｌ　Ｅｑｕｉｐｍｅｎｔ；ＴＥ）と、インターネットサーバー及び移動通信ウェブサーバーと接続し、自らウェブブラウジングを遂行したり、前記ＴＥのウェブブラウジングを支援する移動局と、を包含して統合ウェブブラウジングサービス装置を構成する。【選択図】　図１
2004140775.tif 000002
【特許請求の範囲】
【請求項１】
インターネットウェブブラウジング及び移動通信ウェブブラウジングが可能な端末装置（ＴＥ；Ｔｅｒｍｉｎａｌ　Ｅｑｕｉｐｍｅｎｔ）と、　インターネットサーバー及び移動通信ウェブサーバーを接続し、自らウェブブラウジングを遂行したり、該ＴＥのウェブブラウジングを支援する移動局と、
を包含して構成されたことを特徴とする統合ウェブブラウジングサービス装置
。
【請求項２】
前記ＴＥは、使用者の命令及び選択内容の入力を受ける使用者インターフェース部と、
使用者の選択によってインターネットウェブブラウジング及び移動通信ウェブブラウジングを遂行する統合ブラウザと、
該統合ブラウザを通して使用者に各種サービスを提供して移動局との連結を制御するネットワーク制御部と、
該ネットワーク制御部と移動局間の物理的連結を提供するＲｍインターフェース部と、
を包含して構成されることを特徴とする請求項１記載の統合ウェブブラウジングサービス装置。
【請求項３】
前記ネットワーク制御部は、
使用者の選択によって各種サービスを遂行する複数のサービス管理者と、
下位階層から伝達されたメッセージを該当サービス管理者に伝達するサービス分配部と、
該サービス分配部の下位階層であって、フレーム化（ｆｒａｍｉｎｇ）及び逆フレーム化（Ｄｅｆｒａｍｉｎｇ）を遂行し、移動局との論理的連結を提供するリンク接続手続部と、
移動局との連結を設定、解除及び管理するリンク管理者と、
から構成されたことを特徴とする請求項２記載の統合ウェブブラウジングサービス装置。
【請求項４】
前記移動局は、
使用者の選択によって移動通信ウェブブラウジングを遂行する内蔵ブラウザと、　該内蔵ブラウザを通して使用者に各種サービスを提供してＴＥとの連結を制御するネットワーク制御部と、
該ネットワーク制御部とＴＥ間の物理的連結を提供するＲｍインターフェース部と、
が追加して包含されることを特徴とする請求項１記載の統合ウェブブラウジングサービス装置。
【請求項５】
前記ネットワーク制御部は、
使用者の選択によって各種付加サービスを提供する複数のサービス管理者と、
下位階層から伝達されたメッセージを該当サービス管理者に伝達するサービス分配部と、
該サービス分配部の下位階層であって、フレーム化（ｆｒａｍｉｎｇ）及び逆フレーム化（Ｄｅｆｒａｍｉｎｇ）を遂行し、ＴＥとの論理的連結を提供するリンク接続手続部と、
ＴＥとの連結を設定、解除及び管理するリンク管理者と、から構成されたことを特徴とする請求項４記載の統合ウェブブラウジングサービス装置。
【請求項６】
前記複数のサービス管理者は、統合ウェブ管理者を包含し、該統合ウェブ管理者は、前記使用者インターフェース部やブラウザの命令語を解析して、処理する命令語解釈器及び前記ブラウザにデータを伝達するか、又は前記ブラウザから伝達を受けるデータ管理者から構成されることを特徴とする請求項３及び５記載の統合ウェブブラウジングサービス装置。
【請求項７】
移動局は、統合ブラウザの活性モード及び非活性モードに対するモード選択機能を具備することを特徴とする請求項１記載の統合ウェブブラウジングサービス装置。
【請求項８】
移動局に統合ブラウザの活性モードが設定されると、移動局の内蔵ブラウザは非活性化され、内蔵ブラウザに伝達される全てのデータは、前記ＴＥに伝達されるか、又はＴＥから伝達を受けることを特徴とする請求項７記載の統合ウェブブラウジングサービス装置。
【請求項９】
ＴＥの連結要求によってＴＥと移動局との連結を設定する段階と、
該連結が設定されると、移動局と網間の呼を設定する段階と、
該呼が設定されると、ＴＥに統合ウェブサービス活性化メッセージを伝送する段階と、
設定された呼を通してＴＥをインターネットサーバーや移動通信ウェブサーバーに接続させて、データをアップ／ダウンローディングする段階と、
ＴＥとサーバーとの接続が終了されると、前記呼を解除する段階と、
該呼が解除されると、ＴＥに統合ウェブサービス非活性化メッセージを伝送し、ＴＥと移動局間の連結を解除する段階と、を順次行うことを特徴とする統合ウェブブラウジングサービス方法。
【請求項１０】
前記ＴＥは、
使用者の命令及び選択内容の入力を受ける使用者インターフェース部と、
使用者の選択によってインターネットウェブブラウジング及び移動通信ウェブブラウジングを遂行するブラウザと、
該ブラウザを通して使用者に各種サービスを提供して移動局との連結を制御するネットワーク制御部と、
該ネットワーク制御部と移動局間の物理的連結を提供するＲｍインターフェース部と、を包含して構成されることを特徴とする請求項９記載の統合ウェブブラウジングサービス方法。
【請求項１１】
前記ネットワーク制御部は、
使用者の選択によって各種サービスを遂行する複数のサービス管理者と、
下位階層から伝達されたメッセージを該当サービス管理者に伝達するサービス分配部と、
該サービス分配部の下位階層であって、フレーム化（ｆｒａｍｉｎｇ）及び逆フレーム化（Ｄｅｆｒａｍｉｎｇ）を遂行し、移動局との論理的連結を提供するリンク接続手続部と、
移動局との連結を設定、解除及び管理するリンク管理者と、から構成されたことを特徴とする請求項９記載の統合ウェブブラウジングサービス方法。
【請求項１２】
前記移動局は、
使用者の選択によって移動通信ウェブブラウジングを遂行する内蔵ブラウザと、　該内蔵ブラウザを通して使用者に各種サービスを提供してＴＥとの連結を制御するネットワーク制御部と、
該ネットワーク制御部とＴＥ間の物理的連結を提供するＲｍインターフェース部と、が追加して包含されることを特徴とする請求項９記載の統合ウェブブラウジングサービス方法。
【請求項１３】
前記ネットワーク制御部は、
使用者の選択によって各種付加サービスを提供する複数のサービス管理者と、
下位階層から伝達されたメッセージを該当サービス管理者に伝達するサービス分配部と、
該サービス分配部の下位階層であって、フレーム化（ｆｒａｍｉｎｇ）及び逆フレーム化（Ｄｅｆｒａｍｉｎｇ）を遂行し、ＴＥとの論理的連結を提供するリンク接続手続部と、
ＴＥとの連結を設定、解除及び管理するリンク管理者と、から構成されたことを特徴とする請求項１２記載の統合ウェブブラウジングサービス方法。
【請求項１４】
前記移動局は、統合ブラウザの活性及び非活性に対するモード選択機能を具備することを特徴とする請求項９記載の統合ウェブブラウジングサービス方法。
【請求項１５】
前記移動局に統合ブラウザの非活性モードが設定されると、前記ＴＥの連結要求は許容されなく、移動局の内蔵ブラウザがウェブブラウジングを遂行することを特徴とする請求項１４記載の統合ウェブブラウジングサービス方法。
【発明の詳細な説明】
【０００１】
【発明の属する技術分野】
本発明は、移動通信端末機に係るもので、詳しくは、移動通信端末機のウェブブラウジングサービス装置及びそのサービス方法に関するものである。
【０００２】
【従来の技術】
一般に、ＰＣ（Ｐｅｒｓｏｎａｌ　Ｃｏｍｐｕｔｅｒ）或いはＰＤＡ（Ｐｅｒｓｏｎａｌ　Ｄｉｇｉｔａｌ　Ａｓｓｉｓｔａｎｔ）のような端末装置（以下、”Ｔｅｒｍｉｎａｌ　Ｅｑｕｉｐｍｅｎｔ”ｏｒ”ＴＥ”と称す）のウェブブラウジング方式と移動通信端末機（以下、”移動局（Ｍｏｂｉｌｅ　Ｔｅｒｍｉｎａｌ　ｏｒ　ＭＴ）”と称す）のウェブブラウジング方式とは、機能的側面及び表示形式インターフェースにおいて相互相違に具現される。
【０００３】
又、ＴＥのウェブブラウジング方式においては、移動局は、ＴＥのモデム及びネットワーク用カードとしての役割を遂行する。移動局とＴＥとは、Ｒｍインターフェースにより相互連結される。Ｒｍインターフェースは、ＴＥと移動局間の物理的連結性を提供するための部分であって、ＴＥ及び移動局全てに具現されなければならなく、ＴＥと移動局との物理的連結は、ＲＳ−２３２Ｃのような直列通信ポート、ＵＳＢ、ＩｒＤＡ、ＩＥＥＥ１３９４、ブルートゥース（Ｂｌｕｅｔｏｏｔｈ）などのような方式により具現される。
【０００４】
ソフトウェア的観点においては、ＴＥには、電話接続ネットワークのようなインターフェースが設置されなければならなく、ＰＰＰ（Ｐｏｉｎｔ−ｔｏ−ｐｏｉｎｔ　ｐｒｏｔｏｃｏｌ）プロトコルを必要とする。又、ウェブブラウジングのためには、マイクロソフト社のインターネット・エクスプローラ（Ｉｎｔｅｒｎｅｔ　Ｅｘｐｌｏｒｅｒ）やネットスケープ（Ｎｅｔｓｃａｐｅ）社のネットスケープのようなウェブ専用ブラウザが設置されなければならない。
【０００５】
移動局におけるウェブブラウジング方式は、ＴＥにおける方式と異なって、Ｒｍインターフェース（ｉｎｔｅｒｆａｃｅ）が必要でなく、代わりに、ＰＰＰ（Ｐｏｉｎｔ−ｔｏ−Ｐｏｉｎｔ　Ｐｒｏｔｏｃｏｌ）、ＩＰ（ＩｎｔｅｒｎｅｔＰｒｏｔｏｃｏｌ）、ＴＣＰ（Ｔｒａｎｓｍｉｓｓｉｏｎ　Ｃｏｎｔｒｏｌ　Ｐｒｏｔｏｃｏｌ）及びＵＤＰ（Ｕｓｅｒ　Ｄａｔａｇｒａｍ　Ｐｒｏｔｏｃｏｌ）のようなプロトコルが具現されなければならなく、前記各プロトコルを利用して移動通信網のウェブサーバー（以下、”モバイルサーバー”と称す）に接続する。ウェブブラウジングを遂行するときにも、移動局は、ＵＰブラウザやＭＥブラウザのような端末機内蔵ブラウザ（Ｅｍｂｅｄｄｅｄ　Ｂｒｏｗｓｅｒ）を具備しなければならない。
【０００６】
図１３（ａ）は、ウェブブラウジングと関連されたＴＥの構成を示した図である。
【０００７】
従来のＴＥ１００は、図１３（ａ）に示したように、モデムを通したネットワーク接続機能を遂行する電話接続ネットワーク部１７０と、ＴＥ１００と移動局２００間の物理的連結を提供し、該物理的連結のためのビットストリーム生成、エラー処理などの機能を遂行するＲｍインターフェース部１６０と、インターネットプロトコル基盤のウェブサーバーに接続してデータのアップ／ダウンロードを遂行するブラウザ１２０と、使用者インターフェース部１００と、を包含して構成されていた。
【０００８】
又、前記電話接続ネットワーク部１７０は、ネットワーク接続設定、解除及び管理を遂行する連結制御部（Ｃｏｎｎｅｃｔｉｏｎ　Ｃｏｎｔｒｏｌｌｅｒ）１３０と、相手局の各プロトコルとの論理的連結を設定し、解除及び管理し、設定された連結を通してプロトコル信号及びデータを送受信するプロトコル部１５０と、から構成される。
【０００９】
又、前記プロトコル部１５０は、プロトコル（ＰＰＰ、ＩＰ及びＴＣＰ等）の状態及び活動を管理するプロトコル管理者（Ｐｒｏｔｏｃｏｌ　Ｍａｎａｇｅｒ）１４０を包含する。
【００１０】
図１３（ｂ）は、ウェブブラウジングと関連した移動局の構成を示した図である。
【００１１】
従来の移動局２００は、図１３（ｂ）に示したように、Ｒｍインターフェース部２６０及びＵｍインターフェース部２７０から構成されたインターフェース部ロック２９０と、Ｒｍインターフェース部２６０を通して伝達されたＴＥ１００の命令を分析し、処理するＡＴ命令語解釈器（ＡＴ　Ｃｏｍｍａｎｄ　Ｐａｒｓｅｒ）２８０と、網との呼設定のためのチャンネル確保、チャンネル解除及び関連した呼処理を遂行する呼制御部（Ｃａｌｌ　Ｃｏｎｔｒｏｌｌｅｒ）２３０と、モバイルサーバーとの論理的連結を設定、解除し、管理する機能及び論理的連結を通したデータ送受信機能を遂行するプロトコル部２５０と、モバイルサーバーに接続してデータのアップ／ダウンロードを遂行する端末機内蔵ブラウザ（Ｅｍｂｅｄｄｅｄ　Ｂｒｏｗｓｅｒ）２２０と、キー入力部２１２及びキー処理部２１４から構成され、移動局２００の内部の他の構成要素から伝達されたイベント及びデータを視聴覚形態に出力する使用者インターフェース部２１０から構成される。
【００１２】
又、前記プロトコル部２５０は、ＲＬＰ（Ｒａｄｉｏ　Ｌｉｎｋ　Ｐｒｏｔｏｃｏｌ）、ＰＰＰ、ＩＰ及びＴＣＰなどのような各プロトコルと、それらプロトコルを管理するプロトコル管理者（Ｐｒｏｔｏｃｏｌ　Ｍａｎａｇｅｒ）２４０と、から構成される。
【００１３】
又、ＡＴ命令語（ｃｏｍｍａｎｄ）は、移動局２００を制御するためのＴＥ１００の命令語集合である。
【００１４】
以下、従来のウェブブラウジングサービス方法に対し、図面を用いて説明する。　図１４（ａ）、（ｂ）は、従来のウェブブラウジングサービス方法を示した図である。
【００１５】
図１４（ａ）は、ＴＥ１００が移動局２００を通してウェブブラウジング遂行時の各構成要素の関係図で、その手続は次のようである。
【００１６】
使用者がＴＥ１００にデータ呼を設定するように命令すると、電話接続ネットワーク部１５０は、呼設定のためにＡＴ命令語を構成してＲｍインターフェース部１６０に伝達する。
【００１７】
Ｒｍインターフェース部１６０は、伝達を受けたＡＴ命令語をビットストリームに変換して物理的伝送路を通して移動局２００に伝送する。次いで、該移動局２００は、受信されたＡＴ命令語のビットストリームを解析して呼制御部２３０にとってデータ呼設定を試みるようにする。
【００１８】
次いで、データ呼が設定されると、該呼制御部２３０は、Ｒｍインターフェース部２６０を通して呼が設定されたことをＴＥ１００に通報する。呼設定の通報を受けたＴＥ１００は、ＰＰＰ連結及びＴＣＰ／ＩＰ連結を試図し、これが成功すると、表示装置を通してウェブサーバーと接続されたことを使用者に知らせる。次いで、使用者は、マイクロソフト社のインターネット・エクスプローラやネットスケープ社のネットスケープのようなＴＥ専用ウェブブラウザを駆動してウェブブラウジングを遂行する。
【００１９】
図１４（ｂ）は、移動局２００におけるウェブブラウジング遂行時の各構成要素の関係図で、その手続は次のようである。
【００２０】
使用者が指定されたキーを押して移動局２００の内蔵ブラウザ２２０を駆動させると、キー処理部２１４は、データ呼を試みるように呼制御部２３０に所定のメッセージを送る。
【００２１】
次いで、データ呼が設定されると、プロトコル部２５０は、目的モバイルサーバーとＲＬＰ、ＰＰＰ、ＩＰ及びＴＣＰプロトコル連結を順次行う。次いで、連結が行われる、目的モバイルサーバーからウェブページデータをダウンロードし、出力処理部（図示されず）は、表示装置を通してダウンロードされたデータを出力する。
【００２２】
【発明が解決しようとする課題】
然るに、このような従来のＴＥ１００においては、インターネット（或いはＰＤＳＮ）に接続するための手段として移動局２００を利用するが、モバイルサーバーに接続し得ないし、移動局２００もインターネットプロトコルを基盤とする一般ウェブサーバーに接続し得ないという不都合な点があった。又、移動局２００は、ウェブコンテンツと関連したＴＥ１００の多様なリソースを活用し得ないという不都合な点があった。
【００２３】
又、移動局２００のＣＰＵ、メモリー及び表示装置が音声及びテキスト処理に適合するように構成されているため、モバイルサーバーは、移動局２００に多様なサービスを提供し得ないし、多様なウェブコンテンツを構成することが難しいという不都合な点があった。
【００２４】
又、ＰＰＰ、ＩＰ、ＴＣＰ、ＵＤＰプロトコル及びネットワーク関連資源がＴＥ１００及び移動局２００に夫々具現されなければならないという不都合な点があった。且つ、このようなリソースの重複具現は、開発の効率性を減少させて開発費用を増加させる原因になるという不都合な点があった。
【００２５】
本発明は、このような従来の課題に鑑みてなされたもので、ＴＥの使用者が移動通信端末機を通してインターネットウェブサーバー及び移動通信ウェブサーバーに接続し得る統合ウェブブラウジングサービス装置及びそのサービス方法を提供することを目的とする。
【００２６】
【課題を解決するための手段】
本発明の統合ウェブブラウジングサービス装置は、インターネットウェブブラウジング及び移動通信ウェブブラウジングが可能な端末装置（ＴＥ；Ｔｅｒｍｉｎａｌ　Ｅｑｕｉｐｍｅｎｔ）と、　インターネットサーバー及び移動通信ウェブサーバーを接続し、自らウェブブラウジングを遂行したり、該ＴＥのウェブブラウジングを支援する移動局と、を包含して構成されたことを特徴とする。
【００２７】
前記ＴＥは、使用者の命令及び選択内容の入力を受ける使用者インターフェース部と、使用者の選択によってインターネットウェブブラウジング及び移動通信ウェブブラウジングを遂行する統合ブラウザと、該統合ブラウザを通して使用者に各種サービスを提供して移動局との連結を制御するネットワーク制御部と、該ネットワーク制御部と移動局間の物理的連結を提供するＲｍインターフェース部と、を包含して構成されることを特徴とする。
【００２８】
前記ネットワーク制御部は、使用者の選択によって各種サービスを遂行する複数のサービス管理者と、下位階層から伝達されたメッセージを該当サービス管理者に伝達するサービス分配部と、該サービス分配部の下位階層であって、フレーム化（ｆｒａｍｉｎｇ）及び逆フレーム化（Ｄｅｆｒａｍｉｎｇ）を遂行し、移動局との論理的連結を提供するリンク接続手続部と、移動局との連結を設定、解除及び管理するリンク管理者とから構成されたことを特徴とする。
【００２９】
前記移動局は、使用者の選択によって移動通信ウェブブラウジングを遂行する内蔵ブラウザと、該内蔵ブラウザを通して使用者に各種サービスを提供してＴＥとの連結を制御するネットワーク制御部と、該ネットワーク制御部とＴＥ間の物理的連結を提供するＲｍインターフェース部と、が追加して包含されることを特徴とする。
【００３０】
前記ネットワーク制御部は、使用者の選択によって各種付加サービスを提供する複数のサービス管理者と、下位階層から伝達されたメッセージを該当サービス管理者に伝達するサービス分配部と、該サービス分配部の下位階層であって、フレーム化（ｆｒａｍｉｎｇ）及び逆フレーム化（Ｄｅｆｒａｍｉｎｇ）を遂行し、ＴＥとの論理的連結を提供するリンク接続手続部と、ＴＥとの連結を設定、解除及び管理するリンク管理者と、から構成されたことを特徴とする。
【００３１】
前記複数のサービス管理者は、統合ウェブ管理者を包含し、該統合ウェブ管理者は、前記使用者インターフェース部やブラウザの命令語を解析して、処理する命令語解釈器及び前記ブラウザにデータを伝達するか、又は前記ブラウザから伝達を受けるデータ管理者から構成されることを特徴とする。
【００３２】
移動局は、統合ブラウザの活性モード及び非活性モードに対するモード選択機能を具備することを特徴とする。
【００３３】
移動局に統合ブラウザの活性モードが設定されると、移動局の内蔵ブラウザは非活性化され、内蔵ブラウザに伝達される全てのデータは、前記ＴＥに伝達されるか、又はＴＥから伝達を受けることを特徴とする。
【００３４】
本発明の統合ウェブブラウジングサービス方法は、ＴＥの連結要求によってＴＥと移動局との連結を設定する段階と、該連結が設定されると、移動局と網間の呼を設定する段階と、該呼が設定されると、ＴＥに統合ウェブサービス活性化メッセージを伝送する段階と、設定された呼を通してＴＥをインターネットサーバーや移動通信ウェブサーバーに接続させて、データをアップ／ダウンローディングする段階と、ＴＥとサーバーとの接続が終了されると、前記呼を解除する段階と、該呼が解除されると、ＴＥに統合ウェブサービス非活性化メッセージを伝送し、ＴＥと移動局間の連結を解除する段階と、を順次行うことを特徴とする。
【００３５】
前記ＴＥは、使用者の命令及び選択内容の入力を受ける使用者インターフェース部と、使用者の選択によってインターネットウェブブラウジング及び移動通信ウェブブラウジングを遂行するブラウザと、該ブラウザを通して使用者に各種サービスを提供して移動局との連結を制御するネットワーク制御部と、該ネットワーク制御部と移動局間の物理的連結を提供するＲｍインターフェース部と、を包含して構成されることを特徴とする。
【００３６】
前記ネットワーク制御部は、使用者の選択によって各種サービスを遂行する複数のサービス管理者と、下位階層から伝達されたメッセージを該当サービス管理者に伝達するサービス分配部と、該サービス分配部の下位階層であって、フレーム化（ｆｒａｍｉｎｇ）及び逆フレーム化（Ｄｅｆｒａｍｉｎｇ）を遂行し、移動局との論理的連結を提供するリンク接続手続部と、移動局との連結を設定、解除及び管理するリンク管理者と、から構成されたことを特徴とする。
【００３７】
前記移動局は、使用者の選択によって移動通信ウェブブラウジングを遂行する内蔵ブラウザと、該内蔵ブラウザを通して使用者に各種サービスを提供してＴＥとの連結を制御するネットワーク制御部と、該ネットワーク制御部とＴＥ間の物理的連結を提供するＲｍインターフェース部と、が追加して包含されることを特徴とする。
【００３８】
前記ネットワーク制御部は、使用者の選択によって各種付加サービスを提供する複数のサービス管理者と、下位階層から伝達されたメッセージを該当サービス管理者に伝達するサービス分配部と、該サービス分配部の下位階層であって、フレーム化（ｆｒａｍｉｎｇ）及び逆フレーム化（Ｄｅｆｒａｍｉｎｇ）を遂行し、ＴＥとの論理的連結を提供するリンク接続手続部と、ＴＥとの連結を設定、解除及び管理するリンク管理者と、から構成されたことを特徴とする。
【００３９】
前記移動局は、統合ブラウザの活性及び非活性に対するモード選択機能を具備することを特徴とする。
【００４０】
前記移動局に統合ブラウザの非活性モードが設定されると、前記ＴＥの連結要求は許容されなく、移動局の内蔵ブラウザがウェブブラウジングを遂行することを特徴とする。
【００４１】
このような目的を達成するため、本発明に係る統合ウェブブラウジングサービス装置においては、インターネットウェブブラウジング及び移動通信ウェブブラウジングが可能な端末装置（ＴＥ；Ｔｅｒｍｉｎａｌ　Ｅｑｕｉｐｍｅｎｔ）と、インターネットサーバー及び移動通信ウェブサーバーと接続し、自らウェブブラウジングを遂行するか、又は前記ＴＥのウェブブラウジングを支援する移動局と、から構成されることを特徴とする。
【００４２】
又、前記ＴＥは、使用者の命令及び選択内容の入力を受ける使用者インターフェース部と、使用者の選択によってインターネットウェブブラウジング及び移動通信ウェブブラウジングを遂行する統合ブラウザと、該ブラウザを通して使用者に各種サービスを提供して移動局との連結を制御する統合ネットワーク制御部と、該統合ネットワーク制御部と移動局間の物理的連結を提供するＲｍインターフェース部と、を包含して構成されることを特徴とする。
【００４３】
又、前記移動局は、使用者の選択によって移動通信ウェブブラウジングを遂行する内蔵ブラウザと、該内蔵ブラウザを通して使用者に各種サービスを提供してＴＥとの連結を制御するネットワーク制御部と、該ネットワーク制御部とＴＥ間の物理的連結を提供するＲｍインターフェース部と、を包含して構成されることを特徴とする。
【００４４】
又、本発明に係る統合ウェブブラウジングサービス方法においては、ＴＥの連結要求によりＴＥと移動局との連結を設定する段階と、該連結が設定されると、移動局と網間の呼を設定する段階と、該呼が設定されると、ＴＥに統合ウェブサービス活性化メッセージを伝送する段階と、該設定された呼を通してＴＥをインターネットサーバーや移動通信ウェブサーバーに接続させて、データをアップ／ダウンロードする段階と、ＴＥとサーバーとの接続が終了されると、前記呼を解除する段階と、呼が解除されると、ＴＥに統合ウェブサービス非活性化メッセージを伝送し、ＴＥと移動局間の連結を解除する段階と、を順次行うことを特徴とする。
【００４５】
【発明の実施の形態】
以下、本発明の実施の形態に対し、図面を用いて説明する。
【００４６】
本発明に係るＴＥ３００においては、図１に示したように、使用者インターフェース部（Ｕｓｅｒ　Ｉｎｔｅｒｆａｃｅ）１１０、統合ウェブブラウザ（ｉｎｔｅｇｒａｔｅｄ　Ｗｅｂ　Ｂｒｏｗｓｅｒ）３２０及びＲｍインターフェース部（Ｒｍ　Ｉｎｔｅｒｆａｃｅ）１６０を包含して構成され、前記ネットワーク制御部３６０は、サービス管理部（Ｓｅｒｖｉｃｅ　Ｍａｎａｇｅｍｅｎｔ　Ｕｎｉｔ）３５０、サービス分配部（Ｓｅｒｖｉｃｅ　Ｒｏｕｔｅｒ）３８０、リンク管理者（Ｌｉｎｋ　ｍａｎａｇｅｒ）３３０及びリンク接続手続部（Ｌｉｎｋ　Ａｃｃｅｓｓ　Ｐｒｏｃｅｄｕｒｅ　ｆｏｒ　ｉｎｔｅｇｒａｔｅ　ｗｅｂｓｅｒｖｉｃｅｓ）３７０から構成されている。
【００４７】
又、前記統合ウェブブラウザ３２０（以下、”ＩＷブラウザ”と称す）は、ＨＴＭＬのような一般ウェブページ生成言語だけでなく、ＷＭＬ、ｃＨＴＭＬのようなモバイルウェブページ生成言語により作成されたウェブページを解析して適切な方式により表示することで、単一インターフェースを通して一般ウェブブラウジング機能及びモバイルウェブブラウジング機能を遂行する。
【００４８】
前記サービス管理部３５０は、日程管理サービス、電話帳サービス及びウェブブラウジングサービスのような各サービス個体と連係してそれらの開始、終了、管理及び連結設定などの機能を担当し、このために、各サービス管理者は、命令語解析器、データ管理者或いはこれと類似機能の各要素から成る。
【００４９】
又、前記サービス管理部３５０は、統合ウェブサービス管理者（Ｉｎｔｅｇｒａｔｅｄ　Ｗｅｂ　Ｓｅｒｖｉｃｅ　Ｍａｎａｇｅｒ）３４０及び複数のサービス管理者（ｏｔｈｅｒ　ｓｅｒｖｉｃｅ　ｍａｎａｇｅｒ）から構成される。
【００５０】
又、前記統合ウェブサービス管理者（以下、”ＩＷサービス管理者”と称す）３４０は、ＩＷブラウザ３２０から伝達されるか、又は使用者インターフェース部１１０から伝達された命令語を解析してこれを適切な方式により処理する命令語解釈器（ｃｏｍｍａｎｄ　ｐａｒｓｅｒ）３４２と、ＩＷブラウザ３２０にデータを伝達するか、又はＩＷブラウザ３２０から伝達されたデータを下位階層に伝達するデータ管理者（Ｄａｔａ　Ｍａｎａｇｅｒ）３４４と、から構成される。　又、前記その他のサービス管理者は、統合ウェブブラウジングサービスの他に日程管理サービス及び電話帳サービスなどのようにＰＣ−ｓｙｎｃを通して提供されるサービスを提供するために定義されたもので、その構造は、統合ウェブサービス管理者と同様であるが、各構成要素の機能は、関連サービスによって若干相違がある。
【００５１】
又、前記サービス分配部３８０は、リンク接続手続部３７０から伝達されたメッセージをメッセージのサービス類型によって各サービス管理者に伝達するか、又は前記サービス管理部３５０からの伝達メッセージを前記リンク接続手続部３７０に伝達する機能を遂行する。
【００５２】
又、前記リンク管理者３３０は、ＴＥ３００と移動局４００間の連結設定、解除及び管理を担当する。
【００５３】
又、前記リンク接続手続部３７０は、ＴＥ３００と移動局４００間の論理的連結性を提供することで、上位のメッセージやデータを送受信し得るように、フレーム化（ｆｒａｍｉｎｇ）したり逆フレーム化（ｄｅｆｒａｍｉｎｇ）する。
【００５４】
又、前記Ｒｍインターフェース部１６０は、ＴＥ３００と移動局４００間の物理的連結性を提供する。Ｒｍインターフェース部１６０は、ＵＡＲＴを利用した直列通信及びブルートゥース（Ｂｌｕｅｔｏｏｔｈ）、ＩｒＤＡ及びＵＳＢ等により具現される。
【００５５】
又、前記使用者インターフェース部１１０は、使用者の命令及び選択内容の入力を受けるか、又は使用者に処理結果などを出力するための使用者とＴＥ（３００）間のインターフェースである。
【００５６】
又、本発明に係る移動局４００においては、図２に示したように、使用者インターフェース部（Ｕｓｅｒ　ｉｎｔｅｒｆａｃｅ）２１０、端末機内蔵ブラウザ（Ｅｍｂｅｄｄｅｄ　Ｂｒｏｗｅｒ）４２０、プロトコル部２５０、呼制御部（Ｃａｌｌ　Ｃｏｎｔｒｏｌｌｅｒ）２３０及びインターフェース部ロック２９０から構成され、前記ネットワーク制御部４６０は、サービス管理部４５０、サービス分配部（Ｓｅｒｖｉｃｅ　Ｒｏｕｔｅｒ）４８０、リンク管理部４３０及びリンク接続手続部（Ｌｉｎｋ　Ａｃｃｅｓｓ　Ｐｒｏｃｅｄｕｒｅ　ｆｏｒ　ｉｎｔｅｇｒａｔｅ　ｗｅｂ　ｓｅｒｖｉｃｅｓ）４７０から構成される。
【００５７】
又、前記端末機内蔵ブラウザ（Ｅｍｂｅｄｄｅｄ　Ｂｒｏｗｅｒ）４２０は、モバイルウェブサイトに接続して該当ウェブサイトの内容を出力し、使用者が指定したＵＲＬ（Ｕｎｉｆｏｒｍ　Ｒｅｓｏｕｒｃｅ　Ｌｏｃａｔｏｒ）に移動するウェブブラウジング機能を遂行する。
【００５８】
又、前記プロトコル部２５０は、ＴＣＰ、ＩＰ、ＰＰＰ及びＲＬＰなどのようなプロトコル個体とそれらを管理するプロトコル管理部（ｐｒｏｔｏｃｏｌ　ｍａｎａｇｅｒ）２４０から構成される。
【００５９】
又、前記呼制御部２３０は、Ｕｍインターフェース部２７０を通して移動通信網と接続するための呼処理を担当し、呼設定及び解除などの機能を遂行する。
【００６０】
又、前記ネットワーク制御部４６０は、移動局４００でＴＥ３００のネットワーク制御部３６０と同様な機能を遂行する。
【００６１】
又、前記インターフェース部ロック２９０は、Ｒｍインターフェース部２６０及びＵｍインターフェース部２７０から構成され、Ｒｍインターフェース部２６０は、ＴＥ３００のＲｍインターフェース１６０と機能上同様である。又、前記Ｕｍインターフェース部２７０は、基地局を通して移動通信網との物理的連結性を提供する。
【００６２】
又、前記使用者インターフェース部２１０は、ＴＥ３００の使用者インターフェース部１１０と機能上同様で、キー入力部２１２及びキー処理部２１４から構成される。又、前記キー入力部２１２は、移動局４００のキーパッドによりキーの入力を受けて、これに対応されるキーイベントに変換する部分であって、前記キー処理部２１４は、移動局４００の状態によってキー入力部２１２により入力されたキーイベントを処理する。
【００６３】
ＴＥ３００と移動局４００とは、相互間の論理的連結性を提供するためのメッセージ（或いはデータ）をフレーム化したり逆フレーム化する。又、そのフレームの構造は、図３（ａ）、３（ｂ）及び３（ｃ）に図示された通りである。
【００６４】
図３（ａ）は、ＴＥ３００と移動局４００間論理的リンク設定及び各サービス管理者で定義された命令語の送受信のためのメッセージフレーム構造（Ｆｏｒｍａｔ）である。　図３（ｂ）は、データの送受信のためのデータフレーム構造（Ｆｏｒｍａｔ）で、図３（ｃ）は、図３（ａ）のメッセージフレームにおけるメッセージの以外に追加される制御機能要素（Ｃｏｎｔｒｏｌ　ＦｕｎｃｔｉｏｎＥｌｅｍｅｎｔ）のためのフレーム構造（Ｆｏｒｍａｔ）である。制御機能要素は、メッセージに追加されて詳細な制御情報を提供する。
【００６５】
本発明に係るフレームにおいては、図３（ａ）、（ｂ）及び（ｃ）に示したように、フレーム区分者（Ｆｒａｍｅ　Ｄｉｓｃｒｉｍｉｎａｔｏｒ）フィールド、サービス類型（Ｓｅｒｖｉｃｅ　Ｔｙｐｅ）フィールド、メッセージ類型（Ｍｅｓｓａｇｅ　Ｔｙｐｅ）フィールド、データの長さ（Ｄａｔａ　Ｌｅｎｇｔｈ）フィールド、データフィールド（Ｄａｔａ　Ｆｉｅｌｄ）、長さ（Ｌｅｎｇｔｈ）フィールド及び制御機能要素（Ｃｏｎｔｒｏｌ　Ｆｕｎｃｔｉｏｎ　Ｅｌｅｍｅｎｔ）フィールドから構成される。
【００６６】
フレーム区分者（Ｆｒａｍｅ　Ｄｉｓｃｒｉｍｉｎａｔｏｒ）は、フレームがメッセージフレームであるか、データフレームであるかを区分するためのフィールドである。フィールド値が”０×６９”であると、該当フレームはメッセージフレームで、フィールド値が”０×９６”であると、データフレームである。
【００６７】
サービス類型（Ｓｅｒｖｉｃｅ　Ｔｙｐｅ）は、メッセージ或いはデータフレームを送受信するサービス類型を示すフィールドである。フィールド値が”０×００”であると、該当フレームのサービス類型は統合ウェブブラウジングサービスで、”０×０１”であると、日程管理サービスで、”０×０２”であると、電話帳サービスである。
【００６８】
上述したサービス類型コードの以外に他のサービス類型が追加される場合、０×０３〜０×ＦＦ間のコード値を該当サービスに割当する。
【００６９】
メッセージ類型（Ｍｅｓｓａｇｅ　Ｔｙｐｅ）は、送受信メッセージのためのフィールドである。本発明に係るメッセージ類型は、下記表１に説明された通りである。
【００７０】
【表１】
2004140775.tif 000003
データ長さ（Ｄａｔａ　Ｌｅｎｇｔｈ）は、データフィールドの長さ（バイト単位）を格納するフィールドである。データフィールド（Ｄａｔａ　Ｆｉｅｌｄ）は、送受信される実際データを格納したフィールドである。長さ（Ｌｅｎｇｔｈ）は、メッセージフレームで制御機能要素全体長さ（バイト単位）を格納するフィールドである。
【００７１】
制御機能要素（Ｃｏｎｔｒｏｌ　Ｆｕｎｃｔｉｏｎ　Ｅｌｅｍｅｎｔ）フィールドは、メッセージに追加される情報を示すためにメッセージフレームの端に追加される。制御機能要素（Ｃｏｎｔｒｏｌ　Ｆｕｎｃｔｉｏｎ　Ｅｌｅｍｅｎｔ）は、機能要素識別者（Ｆｕｎｃｔｉｏｎ　Ｅｌｅｍｅｎｔ　ＩＤ）フィールド、長さ（Ｌｅｎｇｔｈ）フィールド及び内容（Ｃｏｎｔｅｎｔｓ）フィールドから構成される。
【００７２】
機能要素識別者（Ｆｕｎｃｔｉｏｎ　Ｅｌｅｍｅｎｔ　ＩＤ）は、制御機能要素を区別する識別者（表２参照）である。長さ（Ｌｅｎｇｔｈ）は、内容（Ｃｏｎｔｅｎｔｓ）フィールドの長さ（バイト単位）を格納するフィールドである。
【００７３】
内容（Ｃｏｎｔｅｎｔｓ）は、制御機能要素に該当するデータを格納するフィールドである。（表３参照）
【００７４】
【表２】
2004140775.tif 000004
【００７５】
【表３】
2004140775.tif 000005
ＴＥ３００に伝達する移動局４００の状態情報は、移動局４００の電話番号、通話中であるか、否かを知らせる呼の状態情報及び移動局４００が統合ウェブブラウジングサービスを支援しているかの与否などを示す各情報から構成され、その構成方式は、図３（ｃ）に従うが、提供する情報の種類、位置及びコーディング方式は、具現開発時の意図に従う。
【００７６】
【表４】
2004140775.tif 000006
表４は、本発明に係るＴＥ３００と移動局４００の各構成要素間に伝達される各プリミティブ（Ｐｒｉｍｉｔｉｖｅ）である。メッセージは、フレーム形態にＴＥ３００と移動局４００間に伝達される反面、プリミティブは、ＴＥ３００及び移動局４００を構成する各構成要素間に伝達される信号で、各プリミティブは、自体的意味を有し、その構造は、開発時の意図によって変形又は加減されることがある。
【００７７】
図４は、本発明に係る統合ウェブブラウジングサービスを遂行するため、ＴＥ３００と移動局４００間の処理手続を示した図である。
【００７８】
本発明に係る統合ウェブブラウジングサービス方法においては、図４に示したように、ＴＥ３００の連結要求によりＴＥ３００と移動局４００との連結を設定する段階（Ｓ１）と、該連結が設定されると、移動局４００と網間の呼を設定する段階（Ｓ２）と、該呼が設定されると、ＴＥ３００に統合ウェブサービス活性化メッセージを伝送する段階（Ｓ３）と、該設定された呼を通してＴＥ３００をインターネットサーバーや移動通信ウェブサーバーに接続させて、データをアップ／ダウンローディングする段階（Ｓ４）と、ＴＥ３００とサーバーとの接続が終了されると、前記呼を解除する段階（Ｓ５）と、呼が解除されると、ＴＥ３００に統合ウェブサービス非活性化メッセージを伝送し（Ｓ６）、ＴＥ３００と移動局４００間の連結を解除する段階（Ｓ７）と、を順次行う。
【００７９】
ウェブサーバーから所望の情報やデータをダウンロードしようとする時、ＴＥ３００は、先ず、移動局４００との連結を試みる。次いで、ＴＥ３００と移動局４００とが連結されると、ＴＥ３００は、移動局４００に統合ウェブブラウジングサービスに対する開始要求メッセージを伝送する。
【００８０】
ＴＥ３００の開始要求メッセージを受信した移動局４００は、網との呼設定を試図する。
【００８１】
次いで、呼が設定されると、移動局４００は、ＴＥ３００にサービス活性化メッセージを伝達する。次いで、サービス活性化メッセージを受信したＴＥ３００は、所望のウェブサーバーにデータのアップロードを開始する。
【００８２】
次いで、統合ウェブブラウジングサービスが終了されると、ＴＥ３００は、移動局４００に統合ウェブブラウジングサービスに対する終了要求メッセージを伝送する。次いで、移動局４００は、網との呼設定を解除しながら、ＴＥ３００に統合ウェブブラウジングサービスに対する非活性化メッセージを伝達する。
【００８３】
次いで、ＴＥ３００は、サービス非活性化メッセージが受信された時、連結解除要求メッセージを移動局４００に伝達して該移動局４００との連結を切るが、ＴＥ３００の使用者が他のサービス（例えば、ＰＣ−Ｓｙｎｃを通した日程管理サービス及び電話帳サービス等）を要求する場合、ＴＥ３００と移動局４００との連結は継続維持される。
【００８４】
統合ウェブブラウジングサービスを提供するため、本発明は、ＴＥ３００と移動局４００間の連結設定シグナリング、統合ウェブサービスの開始／終了シグナリング（或いはデータ送受信シグナリング）、連結解除シグナリング及び連結管理シグナリングを定義する。
【００８５】
図５（ａ）及び（ｂ）は、連結設定シグナリングを示した図で、連結設定メッセージ（要求、許可及び拒否）及び構成要素間プリミティブの流れを示している。　前記連結設定シグナリングは、ＰＣ−Ｓｙｎｃを通した日程管理サービス、電話帳サービス及び統合ウェブサービスなどを使用者に提供するため、ＴＥ３００と移動局４００間に遂行される。前記連結設定シグナリングが成功的に遂行されると、ＴＥ３００と移動局４００とは、論理的に連結される。
【００８６】
図５（ａ）は、移動局４００がＴＥ３００の連結要求を承認する過程を示す。
【００８７】
使用者の”連結命令”この使用者インターフェース部１１０に伝達されると、該使用者インターフェース部１１０はリンク管理者３３０に、リンク管理者３３０はリンク接続手続部３７０に連結設定に関するプリミティブを夫々伝達する。
【００８８】
次いで、リンク管理者３３０のプリミティブ（ＭＤＬ−ｃｏｎｎｅｃｔ＿ｒｅｑ）を受信したリンク接続手続部３７０は、Ｒｍインターフェース部１６０、２６０を通して連結要求メッセージ（Ｃｏｎｎｅｃｔ　ｒｅｑｕｅｓｔ）を移動局４００のリンク接続手続部４７０に伝達する。
【００８９】
次いで、ＴＥ３００から連結要求メッセージが伝達されると、リンク接続手続部４７０は、リンク管理者４３０に連結設定プリミティブ（ＭＬＤ−ｃｏｎｎｅｃｔ＿ｉｎｄ）を伝達する。
【００９０】
次いで、移動局４００が連結可能状態であると、リンク管理者４３０は、リンク接続手続部４７０に連結承認プリミティブ（ＭＤＬ−ｃｏｎｎｅｃｔ＿ａｃｋ）を伝達し、リンク接続手続部４７０は、Ｒｍインターフェース２６０、１６０を通して連結完了メッセージ（Ｃｏｎｎｅｃｔ　ｃｏｍｐｌｅｔｅ）をＴＥ３００のリンク接続手続部３７０に伝達する。
【００９１】
次いで、移動局４００から連結完了メッセージが伝達されると、リンク接続手続部３７０はリンク管理者３３０に、リンク管理者３３０は使用者インターフェース部１１０に連結承認に対するプリミティブを夫々伝達する。以上の過程によりＴＥ３００と移動局４００とは、論理的に連結される。
【００９２】
図５（ｂ）は、移動局４００がＴＥ３００の連結要求を拒絶する過程を示す。
【００９３】
ＴＥ３００の連結要求メッセージが受信された時、移動局４００が連結可能状態ではないと、リンク管理者４３０は、リンク接続手続部４７０に連結拒絶プリミティブ（ＭＤＬ−ｃｏｎｎｅｃｔ＿ｒｅｊ）を伝達し、リンク接続手続部４７０は、Ｒｍインターフェース部２６０、１６０を通して連結拒絶メッセージ（Ｃｏｎｎｅｃｔ　ｒｅｊｅｃｔ）をＴＥ３００のリンク接続手続部３７０に伝達する。
【００９４】
次いで、移動局４００から連結拒絶メッセージ（Ｃｏｎｎｅｃｔ　Ｒｅｊｅｃｔ）が伝達されると、リンク接続手続部３７０はリンク管理者３３０に、リンク管理者３３０は使用者インターフェース部１１０に連結拒絶に対するプリミティブを夫々伝達する。以上の過程によりＴＥ３００は、連結要求が拒絶されたと判断する。連結設定シグナリングと関連したプリミティブは、表４で定義された通りである。
【００９５】
又、移動局４００が本発明で提案した統合ウェブブラウジング機能を提供しない場合、使用者が統合ウェブブラウジング機能を解除した時、移動局４００が連結設定要求を受容し得ない時、ＴＥ３００がＣｏｎｎｅｃｔｉｏｎ　Ｒｅｑｕｅｓｔメッセージを移動局４００に送った後、所定時間（△Ｔ１）の間に応答を受けなかった時にも、ＴＥ３００は、連結要求が拒絶されたと判断する。
【００９６】
ＴＥ３００と移動局４００とが連結されると、ＴＥ３００は、統合ウェブサービスの開始及び終了シグナリングを遂行する。
【００９７】
図６は、図５（ａ）及び（ｂ）のシグナリングに関連した各構成要素とそれら構成要素間の関係を示した図である。
【００９８】
既に説明されたように、この各構成要素によりＴＥ３００と移動局４００とが連結されると、ＴＥ３００の使用者は、統合ウェブサービスだけでなくＰＣ−ｓｙｎｃを通した日程管理サービス及び電話帳サービスなどの多様なサービスの提供を受ける。
【００９９】
図７は、統合ウェブサービスの開始シグナリングを示した図である。
【０１００】
ＴＥ３００と移動局４００とが連結されると、使用者の指示によって、使用者インターフェース部１１０は命令語解釈器３４２に、命令語解釈器３４２はサービス分配部３８０に、サービス分配部３８０はリンク接続手続部３７０にサービス開始に対するプリミティブを夫々伝達する。
【０１０１】
サービス分配部３８０のプリミティブ（ＤＬ−ｓｅｒｖｉｃｅ＿ｓｔａｒｔ＿ｒｅｑ）を受信したリンク接続手続部３７０は、Ｒｍインターフェース部１６０、２６０を通してサービス開始メッセージ（Ｓｅｒｖｉｃｅ　Ｓｔａｒｔ　ｍｅｓｓａｇｅ）を移動局４００のリンク接続手続部４７０に伝達する。
【０１０２】
次いで、ＴＥ３００からサービス開始メッセージが伝達されると、リンク接続手続部４７０はサービス分配部４８０に、サービス分配部４８０は命令語解釈器４５４に、命令語解釈器４５４は呼制御部４９２にサービス開始に対するプリミティブを夫々伝達する。
【０１０３】
次いで、前記命令語解釈器４５４のプリミティブ（ｃａｌｌ＿ｃｏｎｎｅｃｔ＿ｒｅｑ）が受信されると、呼制御部４９２は網との呼連結を試みる。次いで、呼が連結されると、前記各構成要素は、サービス開始シグナリング経路の逆方向にサービス活性のためのプリミティブを伝達するようになる。次いで、統合ウェブサービスの開始シグナリングと関連したプリミティブは前記表４で定義される。　次いで、前記サービス開始シグナリングが成功的に遂行されると、ＴＥ３００は、インターネットプロトコルを基盤とする一般ウェブサーバーだけでなく、モバイルサーバーともデータ送受信が可能である。該データ送受信のために、リンク接続手続部３７０、４７０が生成するフレーム構造は、図３（ｂ）に図示された通りである。
【０１０４】
図８は、図７の開始シグナリングと関連した各構成要素とそれら構成要素間の関係を示した図である。図８に図示された各構成要素は、移動通信網及びインターネット網との統合ウェブブラウジングサービスと関連したものであって、一旦、網との連結が設定されると、網を通して目的端末とデータ送受信が行われる。
【０１０５】
図９は、統合ウェブサービスの終了シグナリングを示した図で、使用者の要求によるか、呼制御部４９２の呼連結試図が失敗するか、ＴＥ３００の不可避な事由によって統合ウェブサービスを終了させる時、このシグナリングが遂行される。　又、ＴＥ３００がサービススタート（Ｓｅｒｖｉｃｅ　Ｓｔａｒｔ）メッセージを伝送した後、所定時間（△Ｔ４）の間移動局４００の応答がないと、ＴＥ３００は、統合ウェブサービス開始シグナリングが失敗したと見なす。
【０１０６】
前記各原因によって統合ウェブサービスが終了されると、使用者インターフェース部３１０は命令語解釈器３４２に、命令語解釈器３４２はサービス分配部３８０に、サービス分配部３８０はリンク接続手続部３７０にサービス終了に対するプリミティブを夫々伝達する。
【０１０７】
次いで、サービス分配部３８０のプリミティブ（ＤＬ−ｓｅｒｖｉｃｅ＿ｓｔｏｐ＿ｒｅｑ）を受信したリンク接続手続部３７０は、Ｒｍインターフェース部１６０、２６０を通してサービス終了メッセージ（Ｓｅｒｖｉｃｅ　Ｓｔｏｐ　ｍｅｓｓａｇｅ）を移動局４００のリンク接続手続部４７０に伝達する。
【０１０８】
次いで、ＴＥ３００からサービス終了メッセージが伝達されると、リンク接続手続部４７０はサービス分配部４８０に、サービス分配部４８０は命令語解釈器４５４に、命令語解釈器４５４は呼制御部４９２にサービス終了に対するプリミティブを夫々伝達する。
【０１０９】
次いで、前記命令語解釈器４５４のプリミティブ（ｃａｌｌ＿ｄｉｓｃｏｎｎｅｃｔ＿ｒｅｑ）が受信されると、呼制御部４９２は、網との呼連結を解除する。又、前記各構成要素は、サービス終了シグナリング経路の逆方向にサービス非活性のためのプリミティブを伝達するようになる。統合ウェブサービスの終了シグナリングと関連したプリミティブは、前記表４で定義される。
【０１１０】
図１０は、連結解除シグナリングを示した図で、使用者がＩＷブラウザ３２０を終了させたり連結解除に対する不可避な事由が発生した場合、ＴＥ３００は、該シグナリングを遂行して移動局４００との連結を解除する。万一、Ｄｉｓｃｏｎｎｅｃｔ　Ｒｅｑｕｅｓｔメッセージを送信した後、所定時間（△Ｔ２）の間応答がないと、ＴＥ３００は、移動局４００との連結が解除されたと見なす。連結解除シグナリングの過程は次のようである。
【０１１１】
使用者の”連結解除命令”が使用者インターフェース部１１０に伝達されると、使用者インターフェース部１１０はリンク管理者３３０に、リンク管理者３３０はリンク接続手続部３７０に連結解除に関するプリミティブを夫々伝達する。
【０１１２】
次いで、リンク管理者３３０のプリミティブ（ＭＤＬ−ｄｉｓｃｏｎｎｅｃｔ＿ｒｅｑ）を受信したリンク接続手続部３７０は、Ｒｍインターフェース部１６０、２６０を通して連結解除要求メッセージ（Ｄｉｓｃｏｎｎｅｃｔ　ｒｅｑｕｅｓｔ）を移動局４００のリンク接続手続部４７０に伝達する。
【０１１３】
次いで、ＴＥ３００から連結解除要求メッセージが伝達されると、リンク接続手続部４７０は、リンク管理者４３０に連結解除プリミティブ（ＭＬＤ−ｄｉｓｃｏｎｎｅｃｔ＿ｉｎｄ）を伝達する。
【０１１４】
次いで、連結解除プリミティブ（ＭＬＤ−ｄｉｓｃｏｎｎｅｃｔ＿ｉｎｄ）を受信すると、リンク管理者４３０は、リンク接続手続部４７０に解除承認プリミティブ（ＭＤＬ−ｄｉｓｃｏｎｎｅｃｔ＿ａｃｋ）を伝達し、該リンク接続手続部４７０は、Ｒｍインターフェース２６０、１６０を通して解除完了メッセージ（Ｄｉｓｃｏｎｎｅｃｔ　ｃｏｍｐｌｅｔｅ）をＴＥ３００のリンク接続手続部３７０に伝達する。
【０１１５】
次いで、移動局４００から解除完了メッセージが伝達されると、リンク接続手続部３７０はリンク管理者３３０に、リンク管理者３３０は使用者インターフェース部１１０に解除承認に対するプリミティブを夫々伝達する。以上の過程によりＴＥ３００と移動局４００との連結は解除される。連結解除シグナリングと関連したプリミティブは、表４で定義された通りである。図６は、連結解除シグナリングに関連した各構成要素とそれら構成要素間の関係を示す。
【０１１６】
図１１は、状態管理シグナリングを示した図で、ＴＥ３００と移動局４００とが連結されると、使用者の要求或いは状態管理スケジュールによって、ＴＥ３００は、周期的に移動局４００との連結状態をモニターし、管理する。連結状態情報は、視聴覚形態に使用者に報告される。
【０１１７】
万一、ＴＥ３００と移動局４００との連結が解除されたが、使用者がこれを認知しなく、継続ウェブサービスを要求する場合、ＴＥ３００は、連結設定シグナリングを遂行し、ＴＥ３００と移動局４００との連結を再設定する。然し、使用者がＩＷブラウザの終了を要請すると、ＴＥ３００は、ＩＷブラウザ３２０を直ちに終了する。図６は、状態管理シグナリングに関連した各構成要素とそれら構成要素間の関係示す。
【０１１８】
図１２は、データの送受信に関係された各構成要素とそれら構成要素間の関係を示す。
【０１１９】
移動局４００が統合ウェブブラウジングサービスを支援し、使用者が統合ウェブブラウジングサービス機能の使用を選択すると、プロトコル部４４０を通して網から受信されたデータはＴＥ３００に伝達され、ＩＷブラウザ３２０を通して出力される。又、使用者入力内容がＴＥ３００から移動局４００に伝達されると、該使用者入力内容は、プロトコル部２５０を通して網に伝達される。
【０１２０】
以上、本発明に係る統合ウェブブラウジングサービスを提供するため、移動局４００は、使用者がＩＷブラウザ３２０を使用するかの与否を選択する機能であるＩＷブラウザ３２０の使用及び非事用に対するモード選択機能を具備しなければならない。この機能は、真／偽方式のブーリアン（Ｂｏｏｌｅａｎ）形式により具現されることもできるし、その他の方式により具現することもできるが、該具現方式の選択は、移動局開発者の選択に従う。
【０１２１】
前記選択されたモード値は、端末機４００に格納され、該格納されたモード値は、使用者或いは端末機開発者による”モード変更事由”が発生する前には変わらない。
【０１２２】
”ＩＷブラウザ３２０の非事用モード或いは使用解除”が設定された場合、ＩＷブラウザ３２０使用のためのＴＥ３００側の連結設定要求に対し、移動局４００は、連結拒否メッセージをＴＥ３００に送信し、連結を設定しない。そして、ＩＷブラウザ３２０は、このような連結拒否内容を視聴覚形態に使用者に知らせる。
【０１２３】
又、ＩＷブラウザ３２０の使用モードが設定された場合、移動局４００の内蔵ブラウザ４２０は非活性化され、内蔵ブラウザ４２０に伝達される全てのデータは、ＴＥ３００に伝達されるか、又はＴＥ３００から伝達を受ける。
【０１２４】
【発明の効果】
以上説明したように、本発明に係る統合ウェブブラウジングサービス装置においては、一般ウェブブラウジング機能とモバイルウェブブラウジング機能とを統合し、使用者に一層多様なコンテンツ及びウェブサービスを提供し得るという効果がある。
【０１２５】
又、本発明に係るＴＥ３００と移動局４００とのウェブブラウジングサービスの統合は、単一媒体及び単一使用者インターフェースを提供し得るという効果がある。
【０１２６】
又、ＰＣ−Ｓｙｎｃとの連動を通してＴＥ３００がウェブブラウジングを遂行する途中にも移動局４００は、日程管理及び電話帳管理等の多様なサービスを同時遂行し得るという効果がある。
【０１２７】
又、移動局４００にＴＥ３００との重複した資源を具現する必要がないため、それに係る開発費用を節減し得るし、移動局４００の開発効率性が増加するという効果がある。
【０１２８】
又、ＴＥ４００にモバイルウェブサービスのための別途の装置やインターフェース設置が不必要で、移動局の表示装置が有する限界を克服し得るという効果がある。
【図面の簡単な説明】
【図１】本発明に係るＴＥの構成要素及びそれら構成要素間の関係を示した図である。
【図２】本発明に係る移動局４００の構造を示した図である。
【図３】（ａ）は、ＴＥと移動局４００間の論理的リンク設定及び各サービス管理者で定義された命令語の送受信のためのメッセージフレーム構造を示した図である。（ｂ）は、データの送受信のためのデータフレーム構造を示した図である。（ｃ）は、（ａ）のメッセージフレームにおけるメッセージの以外に追加される制御機能要素（Ｃｏｎｔｒｏｌ　Ｆｕｎｃｔｉｏｎ　Ｅｌｅｍｅｎｔ）のためのフレーム構造を示した図である。
【図４】本発明に係る統合ウェブブラウジングサービスを遂行するためのＴＥ３００と移動局４００間の処理手続を示した図である。
【図５】（ａ）は、移動局４００がＴＥ３００の連結要求を承認する過程を示した図である。（ｂ）は、移動局４００がＴＥ３００の連結要求を拒絶する過程を示した図である。
【図６】図５（ａ）、（ｂ）のシグナリングに関連した各構成要素とそれら構成要素間の関係を示した図である。
【図７】統合ウェブサービスの開始シグナリングを示した図である。
【図８】図７の開始シグナリングと関連した各構成要素とそれら構成要素間の関係を示した図である。
【図９】統合ウェブサービスの終了シグナリングを示した図である。
【図１０】連結解除シグナリングを示した図である。
【図１１】状態管理シグナリングを示した図である。
【図１２】データの送受信に関連した各構成要素とそれら構成要素間の関係を示した図である。
【図１３】（ａ）は、ウェブブラウジングと関連したＴＥの構成を示した図である。（ｂ）は、ウェブブラウジングと関連した移動局の構成を示した図である。
【図１４】（ａ）は、ＴＥ１００が移動局２００を通してウェブブラウジング遂行時の各構成要素の関係を示した図である。（ｂ）は、移動局２００におけるウェブブラウジング遂行時の各構成要素の関係を示した図である。
【符号の説明】
１００、３００　ＴＥ
２００、４００　移動局
１１０、２１０　使用者インターフェース部
１２０　　　　　ブラウザ
１３０　　　　　連結制御部
１４０、２４０　プロトコル管理者
１５０、２５０　プロトコル部
１６０、２６０　Ｒｍインターフェース部
１７０　　　　　電話接続ネットワーク部
２１２　　　　　キー入力部
２１４　　　　　キー処理部
２２０、４２０　内蔵ブラウザ
２３０　　　　　呼制御部
２７０　　　　　Ｕｍインターフェース部
２８０　　　　　ＡＴ命令語解釈器
２９０　　　　　インターフェース部ロック
３２０　　　　　ＩＷブラウザ
３３０、４３０　リンク管理者
３４０、４５２　ＩＷ管理者
３４２、４５４　命令語解釈器
３４４、４５６　データ管理者
３５０、４５０　サービス管理部
３６０、４６０　ネットワーク制御部
３７０、４７０　リンク接続手続部
３８０、４８０　サービス分配部
【図１】
2004140775.tif 000007
【図２】
2004140775.tif 000008
【図３】
2004140775.tif 000009
【図４】
2004140775.tif 000010
【図５】
2004140775.tif 000011
【図６】
2004140775.tif 000012
【図７】
2004140775.tif 000013
【図８】
2004140775.tif 000014
【図９】
2004140775.tif 000015
【図１０】
2004140775.tif 000016
【図１１】
2004140775.tif 000017
【図１２】
2004140775.tif 000018
【図１３】
2004140775.tif 000019
【図１４】
2004140775.tif 000020